(57)【特許請求の範囲】
【請求項１】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内に着脱可能に設けられ、前記ます本体に対して着脱することで前記ます本体内を流れる排水の流路を切り替える流路切替手段と、
を備え、
前記流路切替手段は、前記ます本体内に設けられた状態で、前記流入口から流入した排水が前記第１流出口に流れるように前記流入口と前記第１流出口とを連通させる第１切替位置と、前記ます本体内に設けられた状態で、前記流入口から流入した排水が前記第２流出口に流れるように前記流入口と前記第２流出口とを連通させる第２切替位置との間で位置変更が可能であり、
前記流路切替手段は、前記ます本体に対して離間することで前記第１切替位置と前記第２切替位置との間で位置変更して、排水の流路を切り替え、
前記ます本体は、
前記流路切替手段が前記第１切替位置に配置されたとき、前記流路切替手段を支持する第１支持部と、
前記流路切替手段が前記第２切替位置に配置されたとき、前記流路切替手段を支持する第２支持部と、
を備えた、排水ます。
【請求項２】
前記流路切替手段は、前記第１切替位置に配置されたときに前記第２流出口を閉鎖し、前記第２切替位置に配置されたときに前記第２流出口を開放する蓋体である、請求項１に記載された排水ます。
【請求項３】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内に着脱可能に設けられ、前記ます本体に対して着脱することで前記ます本体内を流れる排水の流路を切り替える流路切替手段と、
を備え、
前記流路切替手段は、前記ます本体内に設けられた状態で、前記流入口から流入した排水が前記第１流出口に流れるように前記流入口と前記第１流出口とを連通させる第１切替位置と、前記ます本体内に設けられた状態で、前記流入口から流入した排水が前記第２流出口に流れるように前記流入口と前記第２流出口とを連通させる第２切替位置との間で位置変更が可能であり、
前記ます本体は、
前記流路切替手段が前記第１切替位置に配置されたとき、前記流路切替手段を支持する第１支持部と、
前記流路切替手段が前記第２切替位置に配置されたとき、前記流路切替手段を支持する第２支持部と、
を備え、
前記流路切替手段は、前記第１切替位置に配置されたときに前記第２流出口を閉鎖し、前記第２切替位置に配置されたときに前記第２流出口を開放する蓋体であり、
前記蓋体が前記第２切替位置に配置されたとき、前記蓋体は、平面視において、前記点検口の中心点と重なる位置に配置されている、排水ます。
【請求項４】
前記蓋体は、排水が流れる溝状のインバート部を備え、
前記第２支持部は、前記蓋体が前記第２切替位置に配置されたとき、前記インバート部の端部を支持する、請求項２または３に記載された排水ます。
【請求項５】
上方に開口した点検口と、側部に形成され、排水が流入する流入口と、側部に形成され、排水が流出する第１流出口と、底部に形成され、排水が流出する第２流出口と、を有する略筒状のます本体と、
前記ます本体内に着脱可能に設けられ、前記ます本体に対して着脱することで前記ます本体内を流れる排水の流路を切り替える流路切替手段と、
を備え、
前記流路切替手段は、前記ます本体内に設けられた状態で、前記流入口から流入した排水が前記第１流出口に流れるように前記流入口と前記第１流出口とを連通させる第１切替位置と、前記ます本体内に設けられた状態で、前記流入口から流入した排水が前記第２流出口に流れるように前記流入口と前記第２流出口とを連通させる第２切替位置との間で位置変更が可能であり、
前記ます本体は、
前記流路切替手段が前記第１切替位置に配置されたとき、前記流路切替手段を支持する第１支持部と、
前記流路切替手段が前記第２切替位置に配置されたとき、前記流路切替手段を支持する第２支持部と、
を備え、
前記流路切替手段は、前記第１切替位置に配置されたときに前記第２流出口を閉鎖し、前記第２切替位置に配置されたときに前記第２流出口を開放する蓋体であり、
前記蓋体は、排水が流れる溝状のインバート部を備え、
前記第２支持部は、前記蓋体が前記第２切替位置に配置されたとき、前記インバート部の端部を支持し、
前記第２支持部は、前記ます本体の内周面に設けられ、下方に凹んだ円弧状の支持溝である、排水ます。
【請求項６】
前記蓋体は、前記インバート部の側部から外方に突出した突出部を備え、
前記第１支持部は、前記蓋体が前記第１切替位置に配置されたとき、前記突出部を支持する、請求項４または５に記載された排水ます。
【請求項７】
前記第１支持部は、平面視において、前記流入口の中心軸を挟んで対向するように前記ます本体の側部に２つ設けられ、
前記第２支持部は、前記第１支持部の下方に２つ設けられている、請求項６に記載された排水ます。
【請求項８】
平面視において、前記蓋体が前記第１切替位置に配置されたとき、前記蓋体の前記インバート部の両端は、前記流入口の中心軸上に配置され、前記蓋体が前記第２切替位置に配置されたとき、前記蓋体の前記インバート部の両端は、前記流入口の中心軸と直交し、かつ、前記点検口の中心点を通る直線上に配置されている、請求項７に記載された排水ます。
【請求項９】
前記流入口と前記第１流出口とは、互いに対向するように前記ます本体の側部に形成され、
前記第２流出口は、平面視において、前記流入口と前記第１流出口との間に設けられている、請求項１から８までの何れか一つに記載された排水ます。
【請求項１０】
請求項１から９までの何れか一つに記載された排水ますと、
上流端が排水設備に接続され、下流端が前記流入口に接続された流入管路と、
上流端が前記第１流出口に接続され、下流端が下水本管に接続された流出管路と、
前記第２流出口に接続された貯留槽と、
を備えた、排水システム。
【発明の詳細な説明】
【技術分野】
【０００１】
本発明は、排水ますおよびそれを備えた排水システムに関する。
【背景技術】
【０００２】
従来から、排水設備から下水本管に排水を排出する排水システムが知られている。排水設備としては、例えば、トイレ、風呂、または台所の流し台などが挙げられる。この種の排水システムは、排水設備と下水本管とを繋ぐ流出管路を備えている。排水設備から流出した排水は、流出管路を通じて下水本管へ排出される。
【０００３】
ところで、大規模な地震または津波などの災害が発生した場合、下水本管が破損するおそれがある。下水本管が破損してしまった場合、排水が下水本管から外部に漏れてしまうおそれがある。
【０００４】
特許文献１には、排水の流路を切り替えることが可能な流路切替機能を有するソケットが開示されている。このソケットは、縦筒部と、上流側および下流側の通常時管路と、応急時管路と、閉鎖扉とを備えている。縦筒部は、上部に開口する有底筒状のものである。上流側および下流側の通常時管路は、縦筒部の側部に対向するように突設されている。応急時管路は、通常時管路よりも下方の位置において縦筒部から一方向に突設されている。閉鎖扉は、応急時管路を閉鎖するものである。例えば、上流側の通常時管路には、排水設備が接続され、下流側の通常時管路には下水本管が接続される。応急時管路には、応急用の排水処理施設が接続される。このソケットでは、通常時、応急時管路は閉鎖扉によって閉鎖されている。このため、通常時、排水設備から流出した排水は、通常時管路を通じて下水本管に排出される。一方、災害時などの応急時では、閉鎖扉を引き上げることで、応急時管路は開放される。よって、応急時、排水設備から流出した排水は、縦筒部内を自然に落下して、応急時管路から応急用の排水処理施設に排出される。
【先行技術文献】
【特許文献】
【０００５】
【特許文献１】特開平７−３００８９７号公報
【発明の概要】
【発明が解決しようとする課題】
【０００６】
しかしながら、特許文献１に記載されたソケットでは、下水本管が破損した場合などの応急時において、閉鎖扉は縦筒部から取り外され、応急時管路は開放される。そして、下水本管が修復された後には、閉鎖扉は、縦筒部内に装着され、応急時管路は閉鎖される。そのため、応急時において、閉鎖扉は縦筒部から取り外されるため、閉鎖扉が紛失すると困る。よって、閉鎖扉を保管する場所を確保する必要があった。
【０００７】
本発明はかかる点に鑑みてなされたものであり、その目的は、排水の流路を切り替えた後であっても、流路を切り替える部材が紛失することを防止することができる排水ますおよびそれを備えた排水システムを提供することである。
【課題を解決するための手段】
【０００８】
本発明に係る排水ますは、略筒状のます本体と、流路切替手段とを備えている。前記ます本体は、上方に開口した点検口と、側部に形成され、排水が流入する流入口と、側部に形成され、排水が流出する第１流出口と、底部に形成され、排水が流出する第２流出口と、を有する。前記流路切替手段は、前記ます本体内に着脱可能に設けられ、前記ます本体に対して着脱することで前記ます本体内を流れる排水の流路を切り替える。前記流路切替手段は、前記ます本体内に設けられた状態で、前記流入口から流入した排水が前記第１流出口に流れるように前記流入口と前記第１流出口とを連通させる第１切替位置と、前記ます本体内に設けられた状態で、前記流入口から流入した排水が前記第２流出口に流れるように前記流入口と前記第２流出口とを連通させる第２切替位置との間で位置変更が可能である。前記ます本体は、第１支持部と、第２支持部とを備えている。前記第１支持部は、前記流路切替手段が前記第１切替位置に配置されたとき、前記流路切替手段を支持する。前記第２支持部は、前記流路切替手段が前記第２切替位置に配置されたとき、前記流路切替手段を支持する。
【０００９】
前記排水ますによれば、流路切替手段を第１切替位置に配置した場合、第１支持部によって流路切替手段を支持することで、流入口からます本体内に流入した排水を第１流出口に流すことができる。一方、流路切替手段を第２切替位置に配置した場合、第２支持部によって流路切替手段を支持することで、流入口からます本体内に流入した排水を第２流出口に流すことができる。流路切替手段を第１切替位置に配置した場合であっても、第２切替位置に配置した場合であっても、流路切替手段はます本体内に設けられている。よって、ます本体内を流れる排水の流路を切り替えた場合、ます本体の外において、流路切替手段の保管場所を確保する必要がない。したがって、流路切替手段が紛失することを防止することができる。
【００１０】
本発明の好ましい一態様によれば、前記流路切替手段は、前記第１切替位置に配置されたときに前記第２流出口を閉鎖し、前記第２切替位置に配置されたときに前記第２流出口を開放する蓋体である。
【００１１】
上記態様によれば、蓋体で第２流出口を閉鎖したり開放したりするという簡単な構成で、ます本体内を流れる排水の流路を切り替えることができる。よって、作業者が排水の流路を容易に切り替えることができる。
【００１２】
本発明の好ましい他の一態様によれば、前記蓋体が前記第２切替位置に配置されたとき、前記蓋体は、平面視において、前記点検口の中心点と重なる位置に配置されている。
【００１３】
ます本体内は暗闇であることが多い。そのため、暗闇の中で、ます本体内を流れる排水の流路を切り替える作業がしにくいことがある。しかし、上記態様によれば、蓋体の位置を第１切替位置から第２切替位置に変更するとき、作業者は、平面視において、蓋体が点検口の中心点と重なるように、蓋体を点検口内の中央部分に配置するようにすればよい。よって、ます本体内が暗闇であっても、蓋体を第２切替位置に配置する見当が付き易い。したがって、作業者にとって、ます本体を流れる排水の流路を切り替える作業がし易い。
【００１４】
本発明の好ましい他の一態様によれば、前記蓋体は、排水が流れる溝状のインバート部を備えている。前記第２支持部は、前記蓋体が前記第２切替位置に配置されたとき、前記インバート部の端部を支持する。
【００１５】
上記態様によれば、第２支持部に蓋体のインバート部の端部を配置することで、蓋体を第２切替位置に配置することができる。
【００１６】
本発明の好ましい他の一態様によれば、前記第２支持部は、前記ます本体の内周面に設けられ、下方に凹んだ円弧状の支持溝である。
【００１７】
上記態様によれば、蓋体を第２切替位置に配置するとき、仮に支持溝から多少ずれた位置に蓋体を配置しようとしても、蓋体は、円弧状の支持溝に沿って正しい配置位置に案内され易い。よって、蓋体が支持溝に対して多少ずれた位置に配置された場合であっても、蓋体を支持溝に正しく配置することができる。
【００１８】
本発明の好ましい他の一態様によれば、前記蓋体は、前記インバート部の側部から外方に突出した突出部を備えている。前記第１支持部は、前記蓋体が前記第１切替位置に配置されたとき、前記突出部を支持する。
【００１９】
上記態様によれば、蓋体の突出部を第１支持部に配置することで、蓋体を第１切替位置に配置することができる。
【００２０】
本発明の好ましい他の一態様によれば、前記第１支持部は、平面視において、前記流入口の中心軸を挟んで対向するように前記ます本体の側部に２つ設けられている。前記第２支持部は、前記第１支持部の下方に２つ設けられている。
【００２１】
上記態様によれば、蓋体が第１切替位置に配置された場合、２つの第１支持部によって蓋体を安定して支持することができる。同様に、蓋体が第２切替位置に配置された場合、２つの第２支持部によって蓋体を安定して支持することができる。また、上記態様によれば、第２支持部が第１支持部よりも下方に設けられている。よって、蓋体の配置位置を第２切替位置から第１切替位置に変更するとき、蓋体を前後方向および左右方向に移動させることなく、上下方向に移動させることで蓋体の配置位置を変更することができる。したがって、ます本体内を流れる排水の流路を容易に切り替えることができる。
【００２２】
本発明の好ましい他の一態様によれば、平面視において、前記蓋体が前記第１切替位置に配置されたとき、前記蓋体の前記インバート部の両端は、前記流入口の中心軸上に配置される。平面視において、前記蓋体が前記第２切替位置に配置されたとき、前記蓋体の前記インバート部の両端は、前記流入口の中心軸と直交し、かつ、前記点検口の中心点を通る直線上に配置されている。
【００２３】
上記態様によれば、蓋体の配置位置を第１切替位置から第２切替位置に変更するとき、または、蓋体の配置位置を第２切替位置から第１切替位置に変更するとき、平面視における蓋体の中心点を中心にして蓋体を回転させて、インバート部の両端部のます本体に対する位置を変更することで、蓋体の配置位置を変更することができる。よって、蓋体を回転させるという簡単な方法で、ます本体内を流れる排水の流路を容易に切り替えることができる。
【００２４】
本発明の好ましい他の一態様によれば、前記流入口と前記第１流出口とは、互いに対向するように前記ます本体の側部に形成されている。前記第２流出口は、平面視において、前記流入口と前記第１流出口との間に設けられている。
【００２５】
上記態様によれば、蓋体が第１切替位置に配置されたとき、流入口からます本体内に流入した排水は、第１流出口に流れ易い。一方、蓋体が第２切替位置に配置されたとき、流入口からます本体内に流入した排水は、第２流出口に流れ易い。
【００２６】
本発明の排水システムは、上述した何れかの排水ますと、上流端が排水設備に接続され、下流端が前記流入口に接続された流入管路と、上流端が前記第１流出口に接続され、下流端が下水本管に接続された流出管路と、前記第２流出口に接続され、排水を貯留する貯留槽と、を備えている。
【００２７】
前記排水システムによれば、第１流出管路または下水本管が破損した場合であっても、排水ますによって、ます本体内を流れる排水の流路を切り替えることで、排水設備から流入管路に流入する排水を、排水ますを通じて貯留槽に排出することができる。
【発明の効果】
【００２８】
本発明によれば、排水の流路を切り替えた後であっても、流路を切り替える部材が紛失することを防止することができる排水ますおよびそれを備えた排水システムを提供することができる。
【図面の簡単な説明】
【００２９】
【図１】実施形態に係る排水システムの平面図である。
【図２】実施形態に係る排水システムの正面図である。
【図３】排水ますの平面図である。
【図４】排水ますの正面図である。
【図５】図３のＶ−Ｖ断面における排水ますの正面断面図である。
【図６】ます本体の平面図である。
【図７】ます本体の正面断面図である。
【図８】ます本体の右側面図である。
【図９】蓋体を第２切替位置に配置した状態における排水ますの平面図である。
【図１０】蓋体を第２切替位置に配置した状態における排水ますの正面断面図である。
【図１１】蓋体の平面図である。
【図１２】蓋体の正面図である。
【図１３】蓋体の側面図である。
【図１４】蓋体の底面図である。
【図１５】突出部が段差部に正しく載置されている状態を示す突出部および段差部の断面図である。
【図１６】突出部が段差部に正しく載置されていない状態を示す突出部および段差部の断面図である。
【図１７】蓋体がます本体に対して揺動した状態を示す図である。
【発明を実施するための形態】
【００３０】
以下、図面を参照しながら、本発明に係る排水ます、および、排水システムの実施形態について説明する。ここで説明される実施形態は、当然ながら特に本発明を限定することを意図したものではない。また、同じ作用を奏する部材・部位には同じ符号を付し、重複する説明は省略または簡略化する。
【００３１】
まず、本実施形態に係る排水システム１について説明する。図１は、本実施形態に係る排水システム１の平面図である。図２は、排水システム１の正面図である。図１に示すように、排水システム１は、排水が流れるシステムである。ここで、「排水」には、汚水および雨水が含まれる。「汚水」とは、トイレ、風呂、および、台所の流し台などから排出される水であり、そのままでは河川に放流させることができないものである。本実施形態では、トイレ、風呂、および台所の流し台などのように、汚水が排出される設備を排水設備５とする。「雨水」とは、降雨などの自然現象に起因する水であり、そのまま河川に放流させることができるものである。ここでは、排水システム１は、排水のうち排水設備５から流出する汚水が流れるシステムである。しかし、排水システム１は、雨水が流れるシステムであってもよい。この場合、例えば、排水設備５は、雨水が集約される側溝などに置換され、下水本管１５は、雨水本管などに置換される。図２に示すように、排水システム１は、地中に埋設されている。排水システム１は、排水管路１０と、排水の流路を切り替えることが可能な排水ます２０と、貯留槽７０とを備えている。
【００３２】
排水管路１０は、特に図示はしていないが、下流に向かって下方に傾斜している。図１に示すように、排水管路１０は、流入管路１１と、第１流出管路１２と、第２流出管路１３とを備えている。流入管路１１には、排水設備５から排出された汚水が流入する。流入管路１１の上流端は、排水設備５に接続されている。流入管路１１の下流端は、排水ます２０に接続されている。第１流出管路１２には、排水ます２０から流出した汚水が流入する。第１流出管路１２の上流端は、排水ます２０に接続されている。第１流出管路１２の下流端は、汚水を汚水処理場（図示せず）などに導く下水本管１５に接続されている。なお、ここでは、第１流出管路１２の下流側には、公共ます１６が設けられている。公共ます１６は、排水ます２０と下水本管１５との間に設けられている。
【００３３】
第２流出管路１３には、排水ます２０から流出した汚水が流入する。第２流出管路１３の上流端は、排水ます２０に接続されている。第２流出管路１３の下流端は、汚水を一時的に貯留する貯留槽７０に接続されている。なお、「管路」とは、水を流通させる通路を意味する。「管路」は、一本の配管によって構成されていてもよいし、本実施形態のように、複数本の配管とそれら配管を接続する継手によって構成されていてもよい。
【００３４】
次に、本実施形態に係る排水ます２０について説明する。排水ます２０は、排水（本実施形態では、汚水）の流路を切り替えることが可能なますである。排水ます２０は、排水管路１０の途中箇所に設けられている。ここでは、排水ます２０は、流入管路１１の下流端と第１流出管路１２の上流端との間に設けられている。図３は、排水ます２０の平面図である。図４は、排水ます２０の正面図である。図５は、図３のＶ−Ｖ断面における排水ます２０の正面断面図である。なお、以下の図面において、符号Ｆ、Ｒｒ、ＬおよびＲは、それぞれ排水ます２０の前、後、左および右を表している。ただし、各方向は説明の便宜上定めたものであり、本発明を特に限定するものではない。図３に示すように、排水ます２０は、ます本体２１と、蓋体２６とを備えている。
【００３５】
図６は、ます本体２１の平面図である。図７は、ます本体２１の正面断面図である。図８は、ます本体２１の右側面図である。図６から図８では、ます本体２１から蓋体２６を取り外した状態が示されている。図７に示すように、ます本体２１は、略筒状であり、内部に空間を有する形状である。本実施形態では、図４に示すように、ます本体２１は、縦筒状部２１ａと流入筒状部２１ｂと第１流出筒状部２１ｃと第２流出筒状部２１ｄとによって構成されている。縦筒状部２１ａは、上方に開口するように上下方向に延びている。流入筒状部２１ｂは、縦筒状部２１ａの側面から側方（図４では、左方）に延びるように設けられている。第１流出筒状部２１ｃは、流入筒状部２１ｂと向かい合うようにして、縦筒状部２１ａの側面から側方（図４では、右方）に延びるように設けられている。第２流出筒状部２１ｄは、縦筒状部２１ａの底面の中央部分から下方に延びるように設けられている。図７に示すように、ます本体２１には、点検口３１、流入口３２、第１流出口３３および第２流出口３４が形成されている。
【００３６】
点検口３１は、ます本体２１の上部において、上方に向かって開口している。本実施形態では、点検口３１は、ます本体２１の縦筒状部２１ａの上端に形成されている。点検口３１は、作業者がます本体２１の内部に破損または詰まりなどがないかのメンテナンスを行う部位である。点検口３１は、流入口３２、第１流出口３３および第２流出口３４よりも大きく開口している。言い換えると、点検口３１の内径は、流入口３２の内径、第１流出口３３の内径および第２流出口３４の内径よりも長い。そのため、作業者は、点検口３１を通じて、ます本体２１の内部のメンテナンスを容易に行うことができる。図２に示すように、点検口３１には、点検筒１７が接続されている。ここでは、点検筒１７の上端が地面と略同じ高さに配置されるように、排水ます２０は地中に埋設されている。なお、点検筒１７の上端には、蓋１８が配置されている。通常時、点検筒１７は、蓋１８によって閉じられている。
【００３７】
図７に示すように、流入口３２は、ます本体２１の側部に設けられている。流入口３２は、側方に向かって開口している。本実施形態では、流入口３２は、ます本体２１の流入筒状部２１ｂの端面に形成されている。流入口３２には、排水設備５から排出された汚水が流入する。図１に示すように、流入口３２には、流入管路１１の下流端が接続される。なお、流入口３２には、流入管路１１の一部をなす配管が直接接続されるが、流入口３２に上記配管が他の部材などを介して間接的に接続されていてもよい。ここでは、流入口３２は、配管が挿入される受口であるが、配管に挿入される差口であってもよい。
【００３８】
図８に示すように、第１流出口３３は、ます本体２１の側部に設けられている。図７に示すように、第１流出口３３は、側方に向かって開口している。ここでは、第１流出口３３は、流入口３２の反対側に配置されている。第１流出口３３は、流入口３２と対向している。ただし、第１流出口３３の配置位置は特に限定されない。本実施形態では、第１流出口３３は、ます本体２１の第１流出筒状部２１ｃの端面に形成されている。第１流出口３２からます本体２１内を流れる汚水が流出する。図１に示すように、第１流出口３３には、第１流出管路１２の上流端が接続される。第１流出口３３には、第１流出管路１２の一部をなす配管が直接接続されていてもよく、上記配管が他の部材を介して間接的に接続されていてもよい。ここでは、第１流出口３３は受口であるが、差口であってもよい。
【００３９】
図７に示すように、第２流出口３４は、ます本体２１の底部に設けられている。第２流出口３４は、下方に向かって開口している。本実施形態では、第２流出口３４は、ます本体２１の第２流出筒状部２１ｄの端面に形成されている。図６に示すように、第２流出口３４は、ます本体２１の底部の中央部分に設けられている。第２流出口３４は、平面視において、点検口３１内の中央部分に設けられている。第２流出口３４は、平面視において、流入口３２と第１流出口３３との間に設けられている。図７に示すように、第２流出口３４は、流入口３２および第１流出口３３よりも低い位置に設けられている。ここでは、第２流出口３４の内径は、流入口３２の内径および第１流出口３３の内径と同じである。しかし、第２流出口３４の内径は、流入口３２の内径および第１流出口３３の内径より大きくてもよいし、小さくてもよい。第２流出口３４の形状は、真円形状である。しかし、第２流出口３４の形状は特に限定されず、惰円形状であってもよい。この場合、第２流出口３４の長軸の方向は、流入口３２の中心軸Ｌ３２の方向と平行であるとよい。このことによって、第２流出口３４が開放されているとき、流入口３２からます本体２１に流入した汚水が第２流入口３４を乗り越えて第１流出口３３へ流れにくくなる。第２流出口３４からます本体２１内を流れる汚水が流出する。図２に示すように、第２流出口３４には、第２流出管路１３の上流端が接続される。第２流出口３４には、第２流出管路１３を介して貯留槽７０が接続されている。ただし、第２流出口３４には、貯留槽７０が直接接続されていてもよい。この場合、第２流出管路１３は省略することができる。また、この場合、排水ます２０は、貯留槽７０の上に載置される。ここでは、第２流出口３４は受口であるが、差口であってもよい。なお、排水ます２０は、貯留槽７０の内部に配置されていてもよい。この場合、貯留槽７０の上部の開口部分に、排水ます２０の点検口３１が配置されていてもよい。このことによって、排水ます２０および貯留槽７０の配置スペースが小さくなるため、コンパクトに配置することができる。
【００４０】
図７に示すように、ます本体２１において、縦筒状部２１ａと第２流出筒状部２１ｄとの接続部分のうち流入口３２側の接続部分には、傾斜部２２が設けられている。傾斜部２２は、第２流出口３４に向かうに連れて傾斜が急になっている。傾斜部２２は、ます本体２１の内部に向かって凸となるように湾曲している。なお、ます本体２１において、縦筒状部２１ａと第２流出筒状部２１ｄとの接続部分のうち第１流出口３３側の接続部分２３には、傾斜部２２のような傾斜は設けられていない。ここでは、接続部分２３は、直角になっている。
【００４１】
ここでは、図６に示すように、平面視において、ます本体２１の内周面であって、第２流出口３４の前方および後方には、対向するように傾斜面４０が設けられている。図８に示すように、傾斜面４０は、側面視において、第２流出口３４に向かうにしたがって下方に傾斜している。このことによって、傾斜面４０に汚水が乗り上げた場合、乗り上げた汚水を、傾斜面４０に沿って、ます本体２１の底に流すことができる。よって、傾斜面４０に汚水が溜まることを防ぐことができる。
【００４２】
図６に示すように、排水ます２０は、段差部４１と、支持溝４２と、確認部４３を備えている。段差部４１は、蓋体２６を後述する第１切替位置Ａ（図３参照）に配置したとき、蓋体２６を支持する部位である。段差部４１が蓋体２６を支持することの詳しい説明は、後述する。段差部４１は、平面視において、ます本体２１の内周面であって、第２流出口３４の前方および後方に対向するように設けられている。段差部４１は、平面視において、流入口３２の中心軸Ｌ３２（言い換えると、第１流出口３３の中心軸Ｌ３３）を挟んで対向するようにます本体２１の側部に２つ設けられている。段差部４１は、平面視において、流入口３２の軸方向（または、第１流出口３３の軸方向）において、点検口３１内の中央部分に設けられている。ここでは、段差部４１は、平面視において、傾斜面４０よりも第２流出口３４側に設けられている。図７に示すように、段差部４１は、点検口３１の中心軸Ｌ３１に向かうにしたがって下方に傾斜する面４１ａを有している。図６に示すように、段差部４１は、円弧状の形状を有している。なお、本実施形態では、段差部４１は、本発明の「第１支持部」に対応する。
【００４３】
支持溝４２は、蓋体２６を後述する第２切替位置Ｂ（図９参照）に配置したとき、蓋体２６を支持する部位である。支持溝４２が蓋体２６を支持することの詳しい説明は、後述する。支持溝４２は、平面視において、ます本体２１の内周面であって、第２流出口３４の前方および後方に対向するように２つ設けられている。ここでは、支持溝４２は、段差部４１内に設けられた溝である。支持溝４２は、平面視において、傾斜面４０よりも第２流出口３４側に設けられている。図７に示すように、支持溝４２は、正面視において、段差部４１よりも下方（詳しくは、真下）に設けられている。図６に示すように、支持溝４２は、平面視において、流入口３２の軸方向（または、第１流出口３３の軸方向）において、ます本体２１の中央部分に設けられている。図７に示すように、支持溝４２は、下方に凹んだ円弧状の溝である。ただし、支持溝４２の形状は特に限定されない。支持溝４２の表面には、複数の突起４５が設けられている。ここでは、各支持溝４２につき、５つの突起４５が設けられているが、突起４５の数は特に限定されない。複数の突起４５は、互いが等間隔になるように支持溝４２の表面に配置されているが、その間隔は特に限定されない。例えば、複数の突起４５の互いの間隔は、平面視において、支持溝４２の中央に近づくにしたがって狭くなってもよい。なお、本実施形態では、支持溝４２は、本発明の「第２支持部」に対応する。
【００４４】
図３に示すように、確認部４３は、蓋体２６が第１切替位置Ａに配置されたとき、蓋体２６が段差部４１に正しく配置されているか否かを確認するための部材である。図６に示すように、確認部４３は、平面視において、ます本体２１の内周面であって、第２流出口３４の前方および後方に設けられている。確認部４３は、第２流出口３４を挟んで互いに対向している。ここでは、確認部４３は、段差部４１よりも外方であって、傾斜面４０の中央部分に配置されている。確認部４３の一部は、傾斜面４０から段差部４１に突出している。確認部４３は、板状である。確認部４３は、弾性部材によって形成されているとよく、ここでは、ゴム製である。確認部４３は、ます本体２１の他の部位とは異なる色彩であるとよい。例えば、確認部４３は、黄色で彩られていてもよい。
【００４５】
次に、蓋体２６について説明する。図３に示すように、蓋体２６は、ます本体２１内に着脱可能に設けられており、ます本体２１に対して着脱することでます本体２１を流れる汚水の流路を切り替える部材である。図９は、蓋体２６を第２切替位置Ｂに配置した状態を示しており、排水ます２０の平面図である。図１０は、蓋体２６を第２切替位置Ｂに配置した状態を示しており、排水ます２０の正面断面図である。なお、図３から図５は、蓋体２６を第１切替位置Ａに配置した状態を示している。蓋体２６は、ます本体２１内において、第１切替位置Ａ（図３参照）と第２切替位置Ｂ（図９参照）との間で位置変更が可能なものである。図５に示すように、第１切替位置Ａとは、ます本体２１内に設けられた状態で、流入口３２から流入した汚水が第１流出口３３に流れるように流入口３２と第１流出口３３とを連通させる位置のことである。図１０に示すように、第２切替位置Ｂとは、ます本体２１内に設けられた状態で、流入口３２から流入した汚水が第２流出口３４に流れるように流入口３２と第２流出口３４とを連通させる位置のことである。ここでは、蓋体２６は、ます本体２１の第２流出口３４に着脱可能に設けられている。図５に示すように、蓋体２６は、第１切替位置Ａに配置されたときに第２流出口３４を閉鎖する。このとき、図３に示すように、蓋体２６は、平面視において、点検口３１内の中央部分に配置されている。一方、図１０に示すように、蓋体２６は、第２切替位置Ｂに配置されたときに第２流出口３４を開放する。このとき、図９に示すように、蓋体２６は、平面視において、点検口３１内の中央部分に配置されている。すなわち、ます本体２１内を流れる汚水の流路が切り替わる前後において、蓋体２６は、平面視において、点検口３１内の中央部分に配置されている。本実施形態では、蓋体２６は、本発明の「流路切替手段」に対応する。
【００４６】
図１１は、蓋体２６の平面図である。図１２は、蓋体２６の正面図である。図１３は、蓋体２６の側面図である。図１４は、蓋体２６の底面図である。なお、図１１から図１４において、符号Ｆ、Ｒｒ、Ｌ、Ｒは、第１切替位置Ａにおける蓋体２６の方向を示している。図１２に示すように、蓋体２６は、インバート部５１と、突出部５２と、把持部５３と、嵌合凸部５４と、越流防止板５５とを備えている。
【００４７】
図５に示すように、蓋体２６を第１切替位置Ａに配置したとき、インバート部５１は、流入口３２からます本体２１に流入した汚水を第１流出口３３へ流す流路となる部位である。図１３に示すように、インバート部５１は、流入口３２の底面および第１流出口３３の底面と滑らかに連続するように、略Ｕの字状に形成されている。ここでは、図１１に示すように、インバート部５１は、真っ直ぐな溝である。しかし、インバート部５１は、一部が湾曲した溝であってもよい。蓋体２６を第２切替位置Ｂに配置したとき、インバート部５１の端部５１ａは、ます本体２１の支持溝４２に配置される。そのため、インバート部５１の端部５１ａの外周面は、支持溝４２に対応する形状であるとよい。ここでは、インバート部５１の外周形状は、円弧形状である。
【００４８】
図３に示すように、突出部５２は、蓋体２６が第１切替位置Ａに配置されたとき、段差部４１によって支持される部位である。図１１に示すように、突出部５２は、インバート部５１の側部から外方に突出している。詳しくは、図１３に示すように、突出部５２は、インバート部５１の前部および後部の上端から外方に突出するように、インバート部５１に設けられている。図３に示すように、突出部５２は、ます本体２１の段差部４１に合致する形状を有している。ただし、突出部５２は、段差部４１に合致する形状でなくてもよく、この場合、段差部４１よりも小さいことが好ましい。ここでは、突出部５２は、板状であり、円弧状の形状を有している。
【００４９】
図１１に示すように、把持部５３は、作業者が蓋体２６の位置を切り替える際に使用する部位であり、把持可能なものである。把持部５３は、インバート部５１を跨ぐように配置されている。把持部５３は、インバート部５１の流路方向において、インバート部５１の中央部分に設けられている。把持部５３の形状は特に限定されない。ここでは、図１３に示すように、把持部５３は、インバート部５１の２つの上端を架け渡すような形状を有している。把持部５３は、インバート部５１と一体であってもよいし、別体であってもよい。ここでは、図１１に示すように、インバート部５１の両端部５１ａには、補強部材５３ａが設けられている。補強部材５３ａは、インバート部５１の右上端部同士、および、インバート部５１の左上端部同士を架け渡すように設けられている。この補強部材５３ａによって、インバート部５１を変形しにくくすることができる。なお、補強部材５３ａは、把持可能であるため、把持部５３と同様に、作業者が蓋体２６の位置を切り替える際に使用する部位として使用されてもよい。
【００５０】
図５に示すように、嵌合凸部５４は、蓋体２６を第１切替位置Ａに配置したとき、第２流出口３４を閉塞する部位である。ここでは、嵌合凸部５４は、ます本体２１の第２流出筒状部２１ｄに嵌合可能な部位である。図１４に示すように、嵌合凸部５４は略円筒状である。本実施形態では、図１３に示すように、嵌合凸部５４の外周面には、ゴム製のシール部材５４ａが設けられている。このシール部材５４ａによって、第２流出筒状部２１ｄと嵌合凸部５４との間のシールが図られている。
【００５１】
図１０に示すように、越流防止板５５は、蓋体２６を第２切替位置Ｂに配置したとき、流入口３２からます本体２１内に流入した汚水が、第２流出口３４を超えて、第１流出口３３に流れることを防止する部位である。図１２に示すように、越流防止板５５は、インバート部５１の底面の中央部分から下方に向かって延びている。図１４に示すように、越流防止板５５は、嵌合凸部５４に囲まれるようにして配置されている。図１２に示すように、越流防止板５５は、下部に向かう程、幅が短くなっている平板状の部材で形成されている。
【００５２】
次に、蓋体２６を第１切替位置Ａおよび第２切替位置Ｂに配置したときの、蓋体２６とます本体２１との位置関係について詳しく説明する。図３に示すように、蓋体２６を第１切替位置Ａに配置したとき、蓋体２６の突出部５２は、ます本体２１の段差部４１に配置される。蓋体２６は、段差部４１によって支持されている。このとき、蓋体２６は、平面視において、点検口３１内の中央部分に配置されている。蓋体２６は、平面視において、点検口３１の中心点Ｌ３１と重なる位置に配置されている。ここでは、蓋体２６の中心軸Ｌ２６と点検口３１の中心軸Ｌ３１とは一致している。このとき、蓋体２６のインバート部５１は、流入口３２と第１流出口３３とを連通させており、汚水の流路となっている。インバート部５１の両端５１ａは、流入口３２の中心軸Ｌ３２（言い換えると、第１流出口３３の中心軸Ｌ３３）上に配置されている。図５に示すように、蓋体２６の嵌合凸部５４は、ます本体２１の第２流出筒状部２１ｄに嵌っている。そのため、蓋体２６が第１切替位置Ａに配置されたとき、蓋体２６は、ます本体２１に固定されており、揺動不能となっている。なお、このとき、越流防止板５５は、その面が前後方向に向くようにして配置されている。また、このとき、図４に示すように、越流防止板５５の下部は、第２流出口３４から下方へ突出している。
【００５３】
本実施形態では、上述したように、蓋体２６が第１切替位置Ａに配置されたとき、蓋体２６の突出部５２がます本体２１の段差部４１に正しく載置されているかを確認部４３によって確認することができる。図１５は、突出部５２が段差部４１に正しく載置されている状態を示す突出部５２および段差部４１の断面図である。図１６は、突出部５２が段差部４１に正しく載置されていない状態を示す突出部５２および段差部４１の断面図である。
【００５４】
図１５に示すように、蓋体２６の突出部５２が段差部４１に正しく載置されているとき、確認部４３の先端部分４３ａは、突出部５２の上方に位置している。この場合、図３に示すように、平面視において、確認部４３の先端部分４３ａを目視することができる。一方、図１６に示すように、突出部５２が段差部４１に正しく載置されておらず、段差部４１に対して多少ずれて載置されている場合、確認部４３が折れ曲がる。そのため、確認部４３の先端部分４３ａは、突出部５２と段差部４１との間に位置する。この場合、平面視において、確認部４３の先端部分４３ａを目視することができない。このように、本実施形態では、平面視において、確認部４３の先端部分４３ａが目視できるか否かによって、蓋体２６が第１切替位置Ａに正しく配置されているか否かを判別することができる。
【００５５】
図９に示すように、蓋体２６を第２切替位置Ｂに配置したとき、蓋体２６のインバート部５１の端部５１ａが、ます本体２１の支持溝４２に載置されている。このとき、蓋体２６は、支持溝４２によって支持されている。図１０に示すように、蓋体２６が第２切替位置Ｂに配置されたとき、蓋体２６は、第１切替位置Ａ（図５参照）のときよりも高い位置に配置されている。このとき、第１切替位置Ａに配置されたときと同様に、蓋体２６は、図９に示すように、平面視において、点検口３１内の中央部分に配置されており、かつ、点検口３１の中心点Ｌ３１と重なる位置に配置されている。ここでは、蓋体２６の中心軸Ｌ２６と点検口３１の中心軸Ｌ３１とは一致している。このとき、インバート部５１の両端は、平面視において、流入口３２の中心軸Ｌ３２（言い換えると、第１流出口３３の中心軸Ｌ３３）と直交し、かつ、点検口３１の中心点Ｌ３１を通る直線Ｌ１上に配置されている。
【００５６】
このとき、図１０に示すように、越流防止板５５は、その面が左右方向に向くようにして配置されている。蓋体２６の嵌合凸部５４は、ます本体２１の第２流出筒状部２１ｄよりも上方に位置しており、第２流出筒状部２１ｄには嵌っていない。ここでは、インバート部５１の端部５１ａが支持溝４２に載置されている状態のみで、蓋体２６がます本体２１に支持されている。蓋体２６は、ます本体２１に対して揺動可能である。蓋体２６は、支持溝４２に沿って、その位置および角度を変更することが可能である。図１７は、蓋体２６がます本体２１に対して揺動した状態を示す図である。蓋体２６が第２切替位置Ｂに配置された状態において、流入口３２からます本体２１内に汚水が流れてきた場合、その汚水は、第２流出口３４の上方において、蓋体２６の越流防止板５５にぶつかる。このとき、支持溝４２を軸にして、蓋体２６が第１流出口３３側へ回転する。そして、越流防止板５５の下部が、縦筒状部２１ａと第２流出筒状部２１ｄとの接続部分のうち第１流出筒状部２１ｃ側の接続部分２３に接触する。第１流入口３３は、越流防止板５５によって閉鎖される。このことによって、蓋体２６を第２切替位置Ｂに配置したとき、流入口３２からます本体２１内に流入した汚水が、第２流出口３４を超えて、第１流出口３３に流れることを防止することができる。
【００５７】
貯留槽７０は、図２に示すように、貯留槽７０は、排水設備５から排出された汚水を貯留する槽である。貯留槽７０は、タンクによって構成されており、内部に密封された空間を有している。貯留槽７０の側面上部には、排水口７１が形成されている。排水口７１には、第２流出管路１３の下流端が接続されており、第２流出管路１３を介して排水ます２０の第２流出口３４が接続されている。
【００５８】
貯留槽７０の上面には、鉛直方向に円筒７８が突設されている。円筒７８は、上端が地面と略同一の高さとなるようにして、貯留槽７０の上面に設けられている。作業者は、円筒７８を通じて、貯留槽７０の内部を保守および点検することができる。なお、通常時において、円筒７８の上部は蓋７９によって閉塞されている。
【００５９】
次に、本実施形態に係る排水システム１および排水ます２０の利用方法について説明する。図１に示すように、排水システム１は、通常時には排水設備５から流出した汚水を下水本管１５に排出し、地震または津波などの災害が発生して、下水本管１５が破損したときには、排水ます２０内を流れる汚水の流路を切り替えて、排水設備５から流出する汚水を貯留槽７０へ排出するように用いられる。以下の説明では、通常時の利用態様を通常時モードといい、災害時の利用態様を災害時モードということとする。
【００６０】
通常時モードでは、図３に示すように、流入口３２と第１流出口３３とを連通させる第１切替位置Ａに、蓋体２６をます本体２１内に配置する。詳しくは、蓋体２６の嵌合凸部５４をます本体２１の第２流出筒状部２１ｄに嵌めると共に、蓋体２６の突出部５２をます本体２１の段差部４１に載置する。
【００６１】
通常時モードでは、図１に示すように、排水設備５から流出した汚水は、流入管路１１を流れた後、排水ます２０の流入口３２からます本体２１内に流入する。図３に示すように、ます本体２１内に流入した汚水は、蓋体２６のインバート部５１を通り、第１流出口３３からます本体２１の外へ流出する。このとき、図５に示すように、第２流出口３４は、蓋体２６によって閉塞されている。よって、ます本体２１内の汚水は、第２流出口３４には流れない。図２に示すように、第１流出口３３から流出した汚水は、第１流出管路１２を流れ、下水本管１５に排出される。下水本管１５に排出された汚水は、汚水処理場などに導かれ、浄化処理される。
【００６２】
災害時モードでは、第１切替位置Ａから、流入口３２と第２流出口３４とが連通する第２切替位置Ｂへ蓋体２６の位置を変更する。例えば、以下のようにして蓋体２６の位置を変更することができる。まず、作業者は、点検筒１７に被せられた蓋１８を取り外す。次に、図５に示すように、作業者は、蓋体２６の把持部５３を持って、蓋体２６を引き上げる。そして、図９に示すように、作業者は、蓋体２６のインバート部５１の端部５１ａがます本体２１の支持溝４２の上方に位置するように、蓋体２６を９０度回転させる。このときの回転の向きは右回りでもよいし、左回りでもよい。作業者は、インバート部５１の端部５１ａを支持溝４２に載置することによって、蓋体２６を第２切替位置Ｂに配置する。
【００６３】
災害時モードでは、図１に示すように、排水設備５から流出した汚水は、第１流出管路１１を流れた後、流入口３２からます本体２１内に流入する。図１７に示すように、ます本体２１内に流入した汚水が蓋体２６の越流防止板５５にぶつかることで、支持溝４２を軸にして、蓋体２６が第１流出口３３側へ回転する。そして、越流防止板５５の下部が、縦筒状部２１ａと第２流出筒状部２１ｄとの接続部分２３に接触する。このことによって、第１流出口３３は越流防止板５５によって閉塞される。よって、ます本体２１内の汚水は、ます本体２１の傾斜部２２に沿って、第２流出口３４に向かって流れ、第１流出口３３には流れない。その後、図２に示すように、汚水は、第２流出口３４からます本体２１の外へ流出する。第２流出口３４から流出した汚水は、第２流出管路１３を通じて貯留槽７０へ排出され、貯留槽７０に貯留される。貯留槽７０に貯留された汚水は、例えば、吸引ポンプによって吸い上げられる。この場合、作業者は、貯留槽７０の上面に設けられた円筒７８の上部を閉塞する蓋７９を取り外す。そして、円筒７８を介して、貯留槽７０に上記吸引ポンプを挿入する。そして、上記吸引ポンプによって、貯留槽７０に貯留された汚水を外部へ吸い上げる。
【００６４】
以上のように、本実施形態では、第２流出管路１２または下水本管１５が破損した場合であっても、排水ます２０によって汚水の流路を切り替えることで、排水設備５から流入管路１１に流入する汚水を、排水ます２０を通じて、第２流出管路１３から貯留槽７０に排出することができる。
【００６５】
図３に示すように、蓋体２６を第１切替位置Ａに配置した場合、ます本体２１の段差部４１によって蓋体２６を支持することで、流入口３２からます本体２１内に流入した汚水を第１流出口３３に流すことができる。一方、図９に示すように、蓋体２６を第２切替位置Ｂに配置した場合、支持溝４２によって蓋体２６を支持することで、流入口３２からます本体２１内に流入した汚水を第２流出口３４に流すことができる。通常時の配置位置である第１切替位置Ａに蓋体２６を配置した場合であっても、災害時の配置位置である第２切替位置Ｂに蓋体２６を配置した場合であっても、蓋体２６はます本体２１内に設けられている。よって、ます本体２１内を流れる汚水の流路を切り替えた場合、ます本体２１の外において、蓋体２６の保管場所を確保する必要がない。したがって、蓋体２６が紛失することを防止することができる。
【００６６】
蓋体２６は、図５に示すように、第１切替位置Ａに配置されたときに第２流出口３４を閉鎖し、図１０に示すように、第２切替位置Ｂに配置されたときに第２流出口３４を開放する。蓋体２６で第２流出口３４を閉鎖したり開放したりするという簡単な構成で、ます本体２１内を流れる汚水の流路を切り替えることができる。よって、作業者がます本体２１内を流れる汚水の流路を容易に切り替えることができる。
【００６７】
図３に示すように、蓋体２６が第１切替位置Ａに配置されたとき、蓋体２６は、平面視において、点検口３１の中心点Ｌ３１と重なる位置に配置されている。同様に、図９に示すように、蓋体２６が第２切替位置Ｂに配置されたとき、蓋体２６は、平面視において、点検口３１の中心点Ｌ３１と重なる位置に配置されている。ここでは、蓋体２６が第１切替位置Ａに配置されたとき、および、蓋体２６が第２切替位置Ｂに配置されたとき、蓋体２６の中心軸Ｌ２６は、平面視において、点検口３１の中心点Ｌ３１と一致する。ます本体２１内は暗闇であることが多い。そのため、暗闇の中で、ます本体２１内を流れる汚水の流路を切り替える作業がしにくいことがある。しかし、本実施形態によれば、蓋体２６の位置を、第１切替位置Ａから第２切替位置Ｂに変更するとき、および、第２切替位置Ｂから第１切替位置Ａに変更するとき、作業者は、平面視において、蓋体２６の中心軸Ｌ２６が点検口３１の中心点Ｌ３１と重なるように、蓋体２６を点検口３１内の中央部分に配置するようにすればよい。よって、ます本体２１内が暗闇であっても、汚水の流路の向きを気にすることなく、蓋体２６を第１切替位置Ａおよび第２切替位置Ｂに配置する見当が付き易い。したがって、作業者にとって、ます本体２１内を流れる汚水の流路を切り替える作業がし易い。
【００６８】
図３に示すように、蓋体２６が第１切替位置Ａに配置されたとき、ます本体２１の段差部４１は、蓋体２６の突出部５２を支持する。このことによって、段差部４１に蓋体２６の突出部５２を配置するという簡単な方法で、蓋体２６を第１切替位置Ａに配置することができる。
【００６９】
図７に示すように、段差部４１は、点検口３１の中心軸Ｌ３１に向かうにしたがって下方に傾斜する面４１ａを有している。このことによって、段差部４１に汚水が流れてきた場合、その汚水は、面４１ａに沿って下へ流れる。よって、段差部４１に汚水が溜まることを防止することができる。
【００７０】
図９に示すように、蓋体２６が第２切替位置Ｂに配置されたとき、ます本体２１の支持溝４２は、インバート部５１の端部５１ａを支持する。このことによって、支持溝４２に蓋体２６のインバート部５１の端部５１ａを配置するという簡単な方法で、蓋体２６を第２切替位置Ｂに配置することができる。
【００７１】
図７に示すように、支持溝４２は、ます本体２１の内周面に設けられ、下方に凹んだ円弧状の溝である。このことによって、蓋体２６を第２切替位置Ｂに配置するとき、仮に支持溝４２から多少ずれた位置に蓋体２６を配置しようとしても、蓋体２６は、円弧状の支持溝４２に沿って正しい配置位置に案内される。よって、蓋体２６が支持溝４２に対して多少ずれていたとしても、蓋体２６を支持溝４２に正しく配置することができる。
【００７２】
支持溝４２には、複数の突起４５が設けられている。このことによって、蓋体２６のインバート部５１と支持溝４２との接触面積を小さくすることができる。よって、インバート部５１と支持溝４２との間の摩擦抵抗を小さくすることができるため、蓋体２６は支持溝４２に沿って動き易い。蓋体２６と支持溝４２との間に、紙などの異物が挟まった場合であっても、蓋体２６は支持溝４２に沿って動き易い。
【００７３】
図６に示すように、段差部４１は、平面視において、流入口３２の中心軸Ｌ３２に対して対向するようにます本体２１の側部に設けられている。図７に示すように、支持溝４２は、段差部４１の下方に設けられている。このことによって、図３に示すように、蓋体２６が第１切替位置Ａに配置された場合、２つの段差部４１によって蓋体２６を安定して支持することができる。同様に、図９に示すように、蓋体２６が第２切替位置Ｂに配置された場合、２つの支持溝４２によって蓋体２６を安定して支持することができる。また、本実施形態では、蓋体２６の配置位置を第１切替位置Ａから第２切替位置Ｂ、または、第２切替位置Ｂから第１切替位置Ａに変更するとき、蓋体２６を前後方向および左右方向に移動させることなく、蓋体２６を上下方向に移動させることで蓋体２６の配置位置を変更することができる。したがって、ます本体２１内を流れる汚水の流路を容易に切り替えることができる。
【００７４】
図３に示すように、蓋体２６が第１切替位置Ａに配置されたとき、蓋体２６のインバート部５１の両端５１ａは、平面視において、流入口３２の中心軸Ｌ３２上に配置されている。一方、図９に示すように、蓋体２６が第２切替位置Ｂに配置されたとき、蓋体２６のインバート部５１の両端５１ａは、流入口３２の中心軸Ｌ３２と直交し、かつ、点検口３１の中心点Ｌ３１を通る直線Ｌ１上に配置されている。このことによって、蓋体２６の配置位置を第１切替位置Ａから第２切替位置Ｂに変更するとき、または、蓋体２６の配置位置を第２切替位置Ｂから第１切替位置Ａに変更するとき、平面視における蓋体２６の中心点Ｌ２６を中心にして、蓋体２６を９０度回転させてインバート部５１の両端部５１ａのます本体２１に対する位置を変更することで、蓋体２６の配置位置を変更することができる。よって、蓋体２６を回転させるという簡単な方法で、ます本体２１内を流れる汚水の流路を容易に切り替えることができる。また、蓋体２６を回転させる方向は、右回りであっても左回りであってもよい。このことによって、蓋体２６の向きなどを意識することなく、蓋体２６を単に９０度回転させることによって、ます本体２１内を流れる汚水の流路を切り替えることができる。
【００７５】
図１１に示すように、蓋体２６は、インバート部５１を跨ぐように配置され、作業者が把持可能な把持部５３を備えている。このことによって、作業者が把持部５３を利用して蓋体２６を持ち上げ易い。よって、蓋体２６によって、ます本体２１内を流れる汚水の流路を容易に切り替えることができる。
【００７６】
図６に示すように、流入口３２と第１流出口３３とは、互いに対向するようにます本体２１の側部に形成されている。第２流出口３４は、平面視において、流入口３２と第１流出口３３との間に設けられている。このことによって、蓋体２６が第１切替位置Ａに配置されたとき、流入口３２からます本体２１内に流入した汚水は、第１流出口３３に流れ易い。一方、蓋体２６が第２切替位置Ｂに配置されたとき、流入口３２からます本体２１内に流入した汚水は、第２流出口３４に流れ易い。
【００７７】
以上、本実施形態に係る排水システム１について説明した。しかし、本発明に係る排水システムは、本実施形態に係る排水システム１に限らず、他の種々の形態で実施することができる。
【００７８】
＜他の実施形態＞
上記実施形態では、図３に示すように、蓋体２６が第１切替位置Ａに配置されたとき、蓋体２６は、平面視において、点検口３１内の中央部分に配置されていた。しかし、蓋体２６が第１切替位置Ａに配置されたとき、蓋体２６は、平面視において、点検口３１の中心点Ｌ３１よりも左方または右方に配置されていてもよい。この場合、ます本体２１の段差部４１は、平面視において、点検口３１の中心点Ｌ３１よりも左方または右方に配置されていてもよい。
【００７９】
同様に、上記実施形態では、図９に示すように、蓋体２６が第２切替位置Ｂに配置されたとき、蓋体２６は、平面視において、点検口３１内の中央部分に配置されていた。しかし、蓋体２６が第２切替位置Ｂに配置されたとき、蓋体２６は、平面視において、点検口３１の中心点Ｌ３１よりも左方または右方に配置されてもよい。このとき、支持溝４２は、平面視において、点検口３１の中心点Ｌ３１よりも左方または右方に配置されていてもよい。
【００８０】
上記実施形態では、図３に示すように、蓋体２６が第１切替位置Ａに配置されたとき、ます本体２１の段差部４１には、蓋体２６の突出部５２が載置され、突出部５２は段差部４１によって支持されていた。しかし、段差部４１は、突出部５２を支持するものでなくてもよい。例えば、段差部４１がます本体２１の第２流出筒状部２１ｄ内に形成され、この段差部４１が嵌合凸部５４を支持するものであってもよい。この場合、突出部５２は省略することができる。
【００８１】
上記実施形態では、蓋体２６が第１切替位置Ａに配置されたときに蓋体２６を支持する段差部４１は２つ設けられ、蓋体２６が第２切替位置Ｂに配置されたときに蓋体２６を支持する支持溝４２は２つ設けられていた。しかし、段差部４１および支持溝４２の数は特に限定されず、１つずつであってもよいし、３つ以上ずつであってもよい。また、段差部４１と支持溝４２との数は、互いに異なっていてもよい。
【符号の説明】
【００８２】
１  排水システム
１１  流入管路
１２  第１流出管路
１３  第２流出管路
２０  排水ます
２１  ます本体
２６  蓋体（流路切替手段）
３１  点検口
３２  流入口
３３  第１流出口
３４  第２流出口
４１  段差部（第１支持部）
４２  支持溝（第２支持部）
４５  突起
５１  インバート部
５２  突出部
５３  把持部
７０  貯留槽
【図１】
0006348031.tif 000002
【図２】
0006348031.tif 000003
【図３】
0006348031.tif 000004
【図４】
0006348031.tif 000005
【図５】
0006348031.tif 000006
【図６】
0006348031.tif 000007
【図７】
0006348031.tif 000008
【図８】
0006348031.tif 000009
【図９】
0006348031.tif 000010
【図１０】
0006348031.tif 000011
【図１１】
0006348031.tif 000012
【図１２】
0006348031.tif 000013
【図１３】
0006348031.tif 000014
【図１４】
0006348031.tif 000015
【図１５】
0006348031.tif 000016
【図１６】
0006348031.tif 000017
【図１７】
0006348031.tif 000018